(57)【要約】【課題】ターボファンから吐出する風の流れを乱さず、電動機の冷却を効率的に行うことができる安価なターボファンを提供することを目的とする。【解決手段】ターボファン１の電動機１７を覆う壁２に有する通風孔３に壁部４を支持する支持片７を設け、主板５に向かう方向に開放部６を設けることにより、電動機を冷却した空気が通風孔３から流れ出し、壁部４に当たりながら開放部６から流れ出ることにより主板５側に流れるので、ハブカバー及びタッピングネジを不要とする安価なターボファンを得ることができる。【選択図】図１
2005127177.tif 000002
【特許請求の範囲】
【請求項１】
電動機のシャフトと契合するボスを有し、前記電動機を覆うように構成された主板を有するターボファンであって、前記主板の電動機を覆う部位には通風孔と、この通風孔の開放面を覆う壁部と、この壁部を支持する支持片を有して構成されることを特徴とするターボファン。
【請求項２】
壁部と支持片により構成された開口部は、少なくとも回転方向上流側に設けられていることを特徴とする請求項１記載のターボファン。
【発明の詳細な説明】
【技術分野】
【０００１】
本発明は、たとえば空気調和機等に用いられるターボファンの構造に関するものである。
【背景技術】
【０００２】
従来のターボファンについて空気調和機を例にして図３から図４を用いて説明する。図３は天井埋め込み型の室内ユニットを備えた空気調和機の構成模式図であり、同図に示すように天井埋め込み型の室内ユニット８において送風回路は吸い込み部９、エアーフィルター（図示せず）、熱交換器（図示せず）、ターボファン（図示せず）、吹出し部１０を通過して流れる空気の流通路で構成されている。そこで、ターボファンは電動機（図示せず）と連結されて回転駆動されるようになっている。
【０００３】
この部分の構成について図４を用いて詳細に説明する。ターボファン１は電動機を覆う壁２と、その外周からボス１１の軸方向に直交する方向に円形状部１２からなる主板５と、この主板５の先端部に連結され任意の間隔を存して設けられる複数のブレード１３と、これらブレード１３の他端部に架設される吸込みリング１４とから構成され、電動機を覆う壁２には駆動部を冷却するための通風孔３が設けられており、通風孔３から主板５側への空気の通路を形成するためのハブカバー１５がタッピングネジ１６によって電動機を覆う壁２に取り付けられ、ハブカバー１５の中心には電動機のシャフト（図示せず）と契合するボス１１が形成されている。（例えば特許文献１参照）
【特許文献１】特開平８−１５９０９２号公報（第２頁、第３図）
【発明の開示】
【発明が解決しようとする課題】
【０００４】
上記従来のターボファンの構成では、運転している電動機を冷却するために温められた空気を通風孔３から吐出しターボファン１から吐出する空気の流れを乱さないために主板５へ流す空気通路を形成する必要があり、そのためハブカバー１５という別部品を使用して解決している。しかし、この発明では部品点数やコスト高を招き、また、ターボファンが重たくなるため回転時のバランスが悪くなる可能性があるという課題を有していた。
【０００５】
本発明はこのような従来の課題を解決するものであり、空気通路の形態を電動機を覆う壁２に設ける構造にしたことにより、ハブカバー１５及びタッピングネジ１６を不要とすることで安価なターボファンを提供することを目的とする。
【課題を解決するための手段】
【０００６】
上記課題を解決するために本願発明のターボファンは、電動機を覆う壁の中心に電動機のシャフトと契合するボスを有し、また電動機を冷却するための通風孔を有するターボファンにおいて、通風孔の開放面を覆う壁部と、この壁部を支持する主板側を一部開放した支持片を有することを特徴とするものである。
【０００７】
上記構成によって、通風孔から壁部をガイドとして開放した方向である主板側の方向に空気が流れるため、空気通路が形成されハブカバー及びタッピングネジが不要となり安価なターボファンが得られる。
【０００８】
また、本願の他の発明は支持片が少なくても回転方向の上流側に支持片を設けたことを特徴とするものである。
【０００９】
上記構成によって、ターボファンから吐出する風の流れを乱さず通風孔からの空気を得られるため、ハブカバー及びタッピングネジが不要で安価なターボファンが得られる。
【発明の効果】
【００１０】
本願発明のターボファンによれば、部品点数を少なくしながら電動機を冷却し風の流れを乱すこともない。しかも一体化することでターボファンの重量を削減し回転時のバランスを良好にする廉価なターボファンを得られるという効果を奏する。
【発明を実施するための最良の形態】
【００１１】
以下本発明の実施の形態について図面を参照して説明する。なお本願発明の実施の形態については空気調和機の天井埋め込み型の室内ユニットに用いられるターボファンを用いた形態について説明するが、本願発明の適用される形態はこれに限定されるものでなく、空気通路を形成するハブカバーを有するファンであれば、同様の効果を奏するものである。
また、図３〜図４に示した室内ユニットと同様の構成要素については同じ図番を付して、その詳細な説明や他の構成要素との結合関係についての説明を省略する。
【００１２】
（実施の形態１）
図１は本願発明の実施の形態であり、ターボファン１の電動機を覆う壁２には通風孔３が設けられており、その孔を覆うような壁部４を設けられ主板５側に空気が流れるように開放部６にした構成をしている。
【００１３】
上記構成において、ターボファン１が回転した際、電動機１７を冷却した空気が通風孔３から流れ出し、壁部４に当たりながら開放部６から流れ出ることにより、空気は主板５側の方に流れ、ターボファン１からの風を乱さず風量を下げることもなく電動機を冷却することができるので、ハブカバー１５及びタッピングネジ１６が不要で安価なターボファンを提供することができる。
また図２は壁部４のターボファンの回転方向の上流側に曲面を有した支持片７を設けた構成をしている。
【００１４】
上記構成において、ターボファン１が回転した際、電動機を冷却した空気が通風孔３から流れ出し、壁部４に当たりながら支持片７以外の開放部より空気を流し出すことが可能でありながら、通風孔３の回転方向の上流側に曲面を有した支持片７を設置することでターボファン１の回転による風切り音も発生しない、ハブカバー１５およびタッピングネジ１６が不要で安価なターボファンを提供することができる。
【００１５】
なお、上記の通風孔３の矩形形状の替わりに、丸形状や多角形状を用いても同様の効果を得ることができる。また、支持片７は回転方向の上流側とボス側に設置しても同様の効果を得ることができる。
【産業上の利用可能性】
【００１６】
本願発明は、空調機器をはじめ、さまざまな送風機器用いられるターボファンにおいて適用することができる。
【図面の簡単な説明】
【００１７】
【図１】（ａ）本発明の実施例を示すターボファンの構成模式図（ｂ）本発明の実施例を示すターボファンの電動機を覆う壁の拡大斜視図
【図２】本発明の他の実施例を示すターボファンの電動機を覆う壁の斜視図
【図３】空気調和機である天井埋め込み型の室内ユニットの構成模式図
【図４】（ａ）従来のターボファンの構成模式図（ｂ）従来のターボファンの主板側から見た構成模式図
【符号の説明】
【００１８】
１  ターボファン
２  電動機を覆う壁
３  通風孔
４  壁部
５  主板
６  開放部
７  支持片
１５  ハブカバー
１６  タッピングカバー
１７  電動機
【図１】
2005127177.tif 000003
【図２】
2005127177.tif 000004
【図３】
2005127177.tif 000005
【図４】
2005127177.tif 000006